(57)【要約】【課題】所望の剛性を確保しつつ効果的に耐力を向上させることを可能にした鋼板コンクリート構造を提供する。【解決手段】一方の主鋼板１と、一方の主鋼板１と所定の間隔をあけて配設された他方の主鋼板２との間にコンクリート４を充填してなる鋼板コンクリート構造Ａにおいて、一方の主鋼板１と、他方の主鋼板２にそれぞれ、開口７ａが貫通形成されたリブ鋼板７を一体に接続して設け、且つ、開口７ａに挿通しつつ、一方の主鋼板１に接続した一方のリブ鋼板７と、他方の主鋼板２に接続した他方のリブ鋼板７とにそれぞれ一端部側と他端部側を接続してせん断補強筋８を設けて構成する。【選択図】図２
2016205101.tif 000002
【特許請求の範囲】
【請求項１】
一方の主鋼板と、該一方の主鋼板と所定の間隔をあけて配設された他方の主鋼板との間にコンクリートを充填してなる鋼板コンクリート構造において、
前記一方の主鋼板と、前記他方の主鋼板にそれぞれ、開口が貫通形成されたリブ鋼板を一体に接続して設け、
且つ、前記開口に挿通しつつ、前記一方の主鋼板に接続した一方のリブ鋼板と、前記他方の主鋼板に接続した他方のリブ鋼板とにそれぞれ一端部側と他端部側を接続してせん断補強筋を設けて構成されていることを特徴とする鋼板コンクリート構造。
【発明の詳細な説明】
【技術分野】
【０００１】
本発明は、外殻鋼板内にコンクリートを一体に充填してなる鋼板コンクリート構造に関する。
【背景技術】
【０００２】
鋼板コンクリート構造（ＳＣ構造）は、外殻となる主鋼板を型枠としてその内部にコンクリートを充填し、主鋼板の内面に植設したスタッドボルトを介して主鋼板とコンクリートを一体化して構成される。また、このような鋼板コンクリート構造は大断面の頑強な構造部材を効率的に施工できる。このため、例えば特許文献１に示されるように原子力施設への適用が提案、実用化されている。
【０００３】
一方、原子力発電所の建屋の屋根スラブには、飛来物に対する防護機能が要求されている。そして、新設する建屋への飛来物防護対策としては、鋼板コンクリート構造を採用し、且つ面外せん断耐力を向上させるために格子状の縦リブ鋼板で上下の主鋼板を緊結する構造形式が有効な手法として提案されている。
【先行技術文献】
【特許文献】
【０００４】
【特許文献１】特許第３３０９２９０号公報
【発明の概要】
【発明が解決しようとする課題】
【０００５】
しかしながら、上記従来の格子状の縦リブ鋼板で上下の主鋼板を緊結する構造形式においては、格子状の縦リブ鋼板によって面外せん断耐力が大幅に向上する反面、コンクリートの連続性が縦リブ鋼板によって分断されることにより鋼板コンクリート構造（屋根スラブ）全体の剛性が低下し、破壊モードが変わる。これにより、鋼板コンクリート構造全体のせん断耐力が縦リブ鋼板間にあるコンクリートの一番弱い所で決まってしまうという問題があった。
【０００６】
本発明は、上記事情に鑑み、所望の剛性を確保しつつ効果的に耐力を向上させることを可能にした鋼板コンクリート構造を提供することを目的とする。
【課題を解決するための手段】
【０００７】
上記の目的を達するために、この発明は以下の手段を提供している。
【０００８】
本発明の鋼板コンクリート構造は、一方の主鋼板と、該一方の主鋼板と所定の間隔をあけて配設された他方の主鋼板との間にコンクリートを充填してなる鋼板コンクリート構造において、前記一方の主鋼板と、前記他方の主鋼板にそれぞれ、開口が貫通形成されたリブ鋼板を一体に接続して設け、且つ、前記開口に挿通しつつ、前記一方の主鋼板に接続した一方のリブ鋼板と、前記他方の主鋼板に接続した他方のリブ鋼板とにそれぞれ一端部側と他端部側を接続してせん断補強筋を設けて構成されていることを特徴とする。
【発明の効果】
【０００９】
本発明の鋼板コンクリート構造においては、内側主鋼板と外側主鋼板にそれぞれ接続して設けられた短尺のリブ鋼板に複数の開口が設けられているため、これらリブ鋼板が穴あき鋼板ジベルとして機能する。これにより、鋼板コンクリート構造の曲げ耐力が向上するとともに、座屈補強効果を得ることができる。
【００１０】
さらに、複数の開口を通じて、内側主鋼板と外側主鋼板にそれぞれ接続して設けられた一対のリブ鋼板に緊結して複数のせん断補強筋が取り付けられているため、これらせん断補強筋によって縦リブ鋼板と同等のせん断補強効果を得ることができる。すなわち、縦リブ鋼板をせん断補強鉄筋に換えることで、コンクリートの連続性を分断することをなくしつつ、縦リブ鋼板と同等のせん断補強効果を得ることができる。また、これらせん断補強筋、リブ鋼板によって、破壊モードも鋼板コンクリート構造全体で決まり、 部材断面として合理的なものにすることができる。
【００１１】
また、コンクリートの打設口の位置の制約がなくなり、さらに断面内での溶接がいらないことから、施工性を大幅に向上することが可能になる。
【図面の簡単な説明】
【００１２】
【図１】本発明の一実施形態に係る鋼板コンクリート構造を示す平面図である。
【図２】図１のＸ−Ｘ線矢視図であり、本発明の一実施形態に係る鋼板コンクリート構造を示す縦断面図である。
【発明を実施するための形態】
【００１３】
以下、図１及び図２を参照し、本発明の一実施形態に係る鋼板コンクリート構造について説明する。
【００１４】
本実施形態の鋼板コンクリート構造Ａは、例えば原子力施設の建屋の屋根スラブなどのスラブであり、図１及び図２に示すように、内側主鋼板（一方の主鋼板）１と、内側主鋼板１に対して外側に所定の間隔をあけて配設された外側主鋼板（他方の主鋼板）２と、内側主鋼板１及び外側主鋼板２の内面にそれぞれ植設された複数のスタッド３と、内側主鋼板１と外側主鋼板２の間に充填されるコンクリート４とを備えて構成されている。
なお、図１及び図２において、符号５は壁構造体、符号６はコンクリート打設開口を示している。
【００１５】
さらに、本実施形態の鋼板コンクリート構造Ａにおいては、内側主鋼板１と外側主鋼板２のそれぞれに、内面に接続して短尺のリブ鋼板７が設けられている。また、この短尺のリブ鋼板７は、内側主鋼板１と外側主鋼板２にそれぞれ複数設けられるとともに、所定の間隔をあけて格子状に配設されている。さらに、内側主鋼板１側と外側主鋼板２側の一対のリブ鋼板７が上下方向（主鋼板１、２に直交する方向）で対峙するように設けられている。
【００１６】
また、各短尺のリブ鋼板７には、所定の間隔をあけ（等間隔で）、円形状の開口７ａが複数貫通形成されている。そして、この上下一対のリブ鋼板７の開口７ａにそれぞれ一端部側と他端部側を挿通しつつ緊結してせん断補強筋８が取り付けられている。
【００１７】
これにより、複数のせん断補強筋８が、その一端部側を一方のリブ鋼板７を介して内側主鋼板１に、他端部側を他方のリブ鋼板７を介して外側主鋼板２にそれぞれ接続して配設され、且つ、横方向（主鋼板１、２に沿う方向）に所定の間隔をあけて並設されている。
【００１８】
そして、このように構成した本実施形態の鋼板コンクリート構造Ａにおいては、まず、内側主鋼板１と外側主鋼板２にそれぞれ接続して設けられた短尺のリブ鋼板７に複数の開口７ａが設けられているため、これらリブ鋼板７が穴あき鋼板ジベルとして機能する。これにより、鋼板コンクリート構造Ａの曲げ耐力が向上するとともに、座屈補強効果を得ることができる。
【００１９】
さらに、複数の開口を７ａ通じて、内側主鋼板１と外側主鋼板２にそれぞれ接続して設けられた上下のリブ鋼板７に緊結して複数のせん断補強筋８が取り付けられているため、これらせん断補強筋８によって縦リブ鋼板と同等のせん断補強効果を得ることができる。すなわち、縦リブ鋼板をせん断補強鉄筋８に換えることで、コンクリート４の連続性を分断することをなくしつつ、縦リブ鋼板と同等のせん断補強効果を得ることができる。また、これらせん断補強筋８、リブ鋼板７によって、破壊モードも鋼板コンクリート構造Ａ全体（スラブ全体）で決まり、 部材断面として合理的なものにすることができる。
【００２０】
また、施工においても、従来の縦リブ鋼板を設けた場合には縦リブ鋼板を部材断面内で溶接する必要があり、コンクリート４の打設にあたっては格子状の縦リブ鋼板間ごとにコンクリート打設口６やエアー抜き開口が必要になるのに対し、本実施形態の鋼板コンクリート構造Ａにおいては、コンクリート打設口６の位置の制約がないことや断面内での溶接がいらないことから、施工性を大幅に向上することが可能になる。
【００２１】
以上、本発明に係る鋼板コンクリート構造の一実施形態について説明したが、本発明は上記の一実施形態に限定されるものではなく、その趣旨を逸脱しない範囲で適宜変更可能である。
【００２２】
例えば、本実施形態では、鋼板コンクリート構造Ａが原子力施設の屋根スラブなどのスラブを構成するものとしたが、本発明にかかる鋼板コンクリート構造Ａは原子力施設のスラブに限らず、原子力施設の他の部材は勿論、あらゆる構造物に適用可能である。
【００２３】
１      内側主鋼板（一方の主鋼板）
２      外側主鋼板（他方の主鋼板）
３      スタッド
４      コンクリート
５      壁構造体
６      コンクリート打設開口
７      短尺のリブ鋼板
７ａ    開口
８      せん断補強筋
Ａ      鋼板コンクリート構造
【図１】
2016205101.tif 000003
【図２】
2016205101.tif 000004